(57)【要約】【課題】  指針の仮想回転中心領域に表示装置を設け、この表示装置の外周を指針が移動する指針式計器を正面から見た場合に、その投影面積を抑えた指針式計器の提供を目的とするものである。【解決手段】  表示装置２の周囲に指標部１ｂを備えた表示部１を設け、表示装置２の周囲を移動するとともに表示部１を指示する指針６とを備えた指針式計器において、表示装置２を回路基板３に保持するフレーム４と、表示装置２の背後に設けられ指針６を駆動する計器本体５ａと、表示装置２を迂回して指針６と計器本体５ａとを接続する連結部７とを備えたものである。【選択図】  図２
2005106585.tif 000002
【特許請求の範囲】
【請求項１】
表示装置の周囲に指標部を備えた表示部を設け、前記表示装置の周囲を移動するとともに前記表示部を指示する指針とを備えた指針式計器において、前記表示装置を回路基板に保持するフレームと、前記表示装置の背後に設けられ前記指針を駆動する計器本体と、前記表示装置を迂回して前記指針と前記計器本体とを接続する連結部とを備えたことを特徴とする指針式計器。
【請求項２】
前記表示装置と前記計器本体とを前記フレームにて保持したことを特徴とする請求項１記載の指針式計器。
【請求項３】
前記計器本体に減速機構を備えるとともに前記減速機構を前記表示装置の背後に設けたことを特徴とする請求項１または２に記載の指針式計器。
【請求項４】
前記連結部の一部を円盤状としたことを特徴とする請求項１または２に記載の指針式計器。
【発明の詳細な説明】
【技術分野】
【０００１】
本発明は、例えば自動車を代表とする車両に搭載される指針式計器に関し、特に指針の仮想回転中心領域に液晶表示装置のごとき表示装置を設け、この表示装置の外周を指針が移動する指針式計器に関する。
【背景技術】
【０００２】
従来、この種の指針式計器は、中央領域に貫通孔を有する環状の表示部と、この表示部の貫通孔に臨む液晶パネルからなる表示装置と、この表示装置と表示部との間に配置され表示部の貫通孔に対応する貫通孔を有するリング状の回転体と、表示部の貫通孔の内縁を通して回転体に装着され表示部上に延びる指針と、表示部の貫通孔を外れた箇所に配置され回転体を回転駆動させる駆動装置と、回転体に沿うように分散して配置され回転体を移動案内する複数の支持体とを備え、駆動装置によって回転体を回転駆動することにより表示部上に延びる指針を回転移動させる構成である（例えば、特許文献１）。
【特許文献１】特開２０００−１３１０９９号公報
【発明の開示】
【発明が解決しようとする課題】
【０００３】
しかしながら、上記特許文献１に記載の指針式計器では、リング状の回転体を駆動する駆動装置や、回転体を支持する支持体を回転体の周囲に複数個備えているため、表示装置の周囲に空間が必要であり、指針式計器を正面から見た場合に、その投影面積が大きいという問題があった。
【０００４】
そこで本発明は、前述の課題に対して対処するため、指針の仮想回転中心領域に表示装置を設け、この表示装置の外周を指針が移動する指針式計器を正面から見た場合に、その投影面積を抑えた指針式計器の提供を目的とするものである。
【課題を解決するための手段】
【０００５】
本発明は、表示装置の周囲に指標部を備えた表示部を設け、前記表示装置の周囲を移動するとともに前記表示部を指示する指針とを備えた指針式計器において、前記表示装置を回路基板に保持するフレームと、前記表示装置の背後に設けられ前記指針を駆動する計器本体と、前記表示装置を迂回して前記指針と前記計器本体とを接続する連結部とを備えたものである。
【０００６】
また、前記表示装置と前記計器本体とを前記フレームにて保持したものである。
【０００７】
また、前記計器本体に減速機構を備えるとともに前記減速機構を前記表示装置の背後に設けたものである。
【０００８】
また、前記連結部の一部を円盤状としたものである。
【発明の効果】
【０００９】
本発明によれば、初期の目的を達成でき、指針の仮想回転中心領域に表示装置を設け、この表示装置の外周を指針が移動する指針式計器を正面から見た場合に、その投影面積を抑えた指針式計器を提供できる。
【発明を実施するための最良の形態】
【００１０】
本発明は、表示装置２の周囲に指標部１ｂを備えた表示部１を設け、表示装置２の周囲を移動するとともに表示部１を指示する指針６とを備えた指針式計器において、表示装置２を回路基板３に保持するフレーム４と、表示装置２の背後に設けられ指針６を駆動する計器本体５ａと、表示装置２を迂回して指針６と計器本体５ａとを接続する連結部７とを備えたものである。このように構成したことによって、指針６の仮想回転中心領域に表示装置２を設け、この表示装置２の外周を指針６が移動する指針式計器を正面から見た場合に、その投影面積を抑えた指針式計器を提供できる。
【００１１】
また、表示装置２と計器本体５ａとをフレーム４にて保持したものである。このように構成したことによって、指針６の仮想回転中心領域に表示装置２を設け、この表示装置２の外周を指針６が移動する指針式計器を正面から見た場合に、その投影面積を抑えた指針式計器を提供できる。
【００１２】
また、計器本体５ａに減速機構５ｂを備えるとともに減速機構５ｂを表示装置２の背後に設けたものである。このように構成したことによって、指針６の仮想回転中心領域に表示装置２を設け、この表示装置２の外周を指針６が移動する指針式計器を正面から見た場合に、その投影面積を抑えた指針式計器を提供できる。
【００１３】
また、連結部７の一部を円盤状としたものである。このように構成したことによって、指針６の仮想回転中心領域に表示装置２を設け、この表示装置２の外周を指針６が移動する指針式計器を正面から見た場合に、その投影面積を抑えた指針式計器を提供できる。
【実施例１】
【００１４】
以下、図面に基づいて本発明の指針式計器の第１実施例について説明する。
【００１５】
本実施例の指針式計器は、図１〜図３に示すように、表示部１と、この表示部１の背後に配置される表示装置２と、この表示装置２を回路基板３に保持するフレーム４と、このフレーム４に固定される計器本体である駆動装置５と、この駆動装置５によって駆動される指針６と、駆動装置５と指針６とを接続する連結部７とを備えている。
【００１６】
表示部１は、その中央部に円形の貫通孔１ａを有する概略円環形状の板材からなり、表示装置２に固定されている。貫通孔１ａの周囲には、指針６の移動経路に沿って円弧状に配列された文字や目盛等の指標部１ｂを備えている。これら指標部１ｂは、概略円環プレート形状を有する透光性合成樹脂材からなる図示しない基材上にスクリーン印刷等の手段により形成されている。なお貫通孔１ａは貫通している必要はなく、透明な板面を備えるものであってもよい。
【００１７】
表示装置２は、例えばＴＦＴ（薄膜トランジスタ）型の液晶表示素子または有機電界発光素子からなる表示パネルを枠体内に組み込んでなり、前記表示パネルの表示面が指針６の仮想回転中心領域である貫通孔１ａを通じて観察者に臨むものである。言いかえれば、表示装置２の周囲に表示部１が設けられている。なお表示装置２の表示情報は任意であるが、一例として例えば走行距離情報、ナビゲーション情報、シフトポジション情報、外気温情報の他、各種映像情報が挙げられる。
【００１８】
回路基板３は、例えば硬質の回路基板からなり、表示装置２、駆動装置５などの動作を制御する図示しない駆動制御回路が搭載されている。
【００１９】
フレーム４は剛性のある材質や構造であり、本実施例ではアルミニウム製である。フレーム４は、表示装置２の背後に設けられており、表示装置２を保持するものである。また、フレーム４は、表示装置２の背後に駆動装置５を回路基板８を介して保持しており、表示装置２と駆動装置５とが固定される固定部４ａを備えている。この固定部４ａはほぼ四角形の枠状であり、また、２本の脚部４ｂを備えている。脚部４ｂの形状は、図２に示すとおり、Ｌ字形状であり、フレーム４に固定された表示装置２や駆動装置５が振動しないように形成されている。なお、回路基板８は、駆動装置５を駆動するための図示しない駆動制御回路が搭載されている。
【００２０】
駆動装置５は、例えばステッピングモータや交叉コイル式ムーブメントの計器本体５ａと、その出力を減速する減速機構である減速機構部５ｂとからなり、駆動装置５は表示装置２の背後に位置している。なお、減速機構部５ｂは複数の歯車を組み合わせたものである。また、指針式計器を正面から見た場合（図２の上から下方向に見た場合）に、駆動装置５が表示装置２にすっぽりと覆われる位置に設けられている（図３参照）。
【００２１】
指針６は合成樹脂からなり、表示部１が表示装置２に固定されているために、表示部１の外周と表示装置２を迂回したＬの字形状の連結部７を介して駆動装置５に固定されている。指針６は図１に示すように表示部１上に線状に延びており、連結部７によって表示装置２やフレーム４などを避けて指針６を駆動装置５に固定されている。そして、連結部７に固定された指針６は駆動装置５の回転により、表示部１上を指標部１ｂに沿って移動し、指標部１ｂを指示している。
【００２２】
以上のように構成したことによって、指針６の仮想回転中心領域に表示装置２を設け、この表示装置２の外周を指針６が移動する指針式計器を正面から見た場合に、指針６などを駆動する駆動装置５などが、表示装置２に隠れるように配置されるため、その投影面積を抑えた指針式計器を提供できる。
【００２３】
なお、駆動装置５をフレーム４にて保持したことによって、表示装置２と速度計を構成する表示部１、指針６，駆動装置５などを一つのユニットとすることができ、指針式計器を組み付ける時の作業性を向上させることが可能である。
【実施例２】
【００２４】
次に本発明の第２実施例を図４，５を用いて説明する。なお、第１実施例と同一及び相当箇所には同一符号を付して、その詳細な説明は省略する。
【００２５】
本実施例では、計器本体９ａと減速機構部９ｂとからなる駆動装置９が回路基板３に固定されている。それに伴い、第１実施例の駆動装置用の回路基板８が削減され、部品点数の削減が図られている。また、本実施例では、駆動装置９を回路基板３に固定したことで、フレーム１０の固定部１０ａが支持する部品を削減することで、フレーム１０が支持する部品の重さが軽くなり、第１実施例に比べて、同じ剛性のフレーム１０であれば振動しにくくなる。あるいは、フレーム１０をその固定部１０ａや脚部１０ｂを含めて、小型あるいは軽量化し、第１実施例のフレーム４に比べて剛性を低くしても、振動に関しては問題のないフレーム１０とすることが可能である。
【００２６】
なお、前記各実施例では、駆動装置５，９は減速機構である減速機構部５ｂ，９ｂを備えていることによって、指針６の指示精度を向上させることが可能であったが、必ずしも前記各実施例に限定されるものではなく、指示精度が要求されない計測項目であれば、計器本体５ａ，９ａのみであってもよい。
【００２７】
また、前記各実施例では、連結部７はＬ字形状の棒形状であったが、前記実施例に限定されるものではなく、表示部１の板面方向と同一方向に広がる円盤部を備え、この円盤部と指針６とを接続した形状であっても良い。このように構成することによって、円盤部の回転時のバランスを取りやすくすることが可能である。
【００２８】
また、前記各実施例では、表示部１が表示装置２に固定されているために、指針６は表示部１の外周と表示装置２を迂回していたが、前記各実施例に限定されるものではなく、表示部１が表示装置２ではなく、図示しない部品に固定された場合は、指針６は表示装置２のみを迂回し、表示部１の貫通孔１ａから表示部１上に位置するものであっても良い。
【図面の簡単な説明】
【００２９】
【図１】本発明の第１実施例の正面図。
【図２】図１のＡ−Ａ線の断面図である。
【図３】同実施例の表示部と表示装置を取り除いた正面図。
【図４】本発明の第２実施例の断面図。
【図５】同実施例の表示部と表示装置を取り除いた正面図。
【符号の説明】
【００３０】
１    表示部
１ａ  貫通孔
１ｂ  指標部
２    表示装置
３    回路基板
４，１０  フレーム
４ａ，１０ａ  固定部
４ｂ，１０ｂ  脚部
５，９  駆動装置
５ａ，９ａ  計器本体
５ｂ，９ｂ  減速機構部
６    指針
７    連結部
８    駆動装置用の回路基板
【図１】
2005106585.tif 000003
【図２】
2005106585.tif 000004
【図３】
2005106585.tif 000005
【図４】
2005106585.tif 000006
【図５】
2005106585.tif 000007